(57)【特許請求の範囲】
【請求項１】
容器本体の本体壁部外表面にインモールドラベルを接着させた合成樹脂製容器であって、前記インモールドラベルを、前記本体壁部に裏面全域を接着させるベース部と、該ベース部の端縁に形成した折り返し線で折り返してベース部上に折り重なる折り重ね部とから構成し、前記ベース部に折り重ね部を折り重ねた状態で、前記ベース部上からはみ出る折り重ね部の部分を接着端縁部とし、該接着端縁部を本体壁部に接着して成り、前記接着端縁部は、引き剥がしにより、前記本体壁部の外表面および接着端縁部の裏面に接着痕を残存形成するインモールドラベル付き容器。
【請求項２】
ベース部の表面に第三の表示を施し、折り重ね部の表面に第一の表示を施すと共に裏面に第二の表示を施した請求項１に記載のインモールドラベル付き容器。
【請求項３】
ベース部に折り重なった折り重ね部が、前記ベース部の第三の表示の略全域を覆い隠すようにした請求項２に記載のインモールドラベル付き容器。
【請求項４】
折り重ね部がベース部の端部に折り重なるようにした請求項１または２に記載のインモールドラベル付き容器。
【請求項５】
折り重ね部の端縁の一部に、指先で摘み易い摘み片を突出状に形成した請求項１〜４の何れか１項に記載のインモールドラベル付き容器。
【発明の詳細な説明】
【技術分野】
【０００１】
本発明は、インモールドラベルをインサート材として、射出成形やブロー成形等の手段により成形された合成樹脂製のインモールドラベル付き容器に関するものである。
【背景技術】
【０００２】
従来、容器本体の一部に、内容物、使用法等についての多量の充分な情報を表示するインモールドラベルを一体的に接着する技術として、特開２００１−２４００６６公報に開示された技術が知られている。
【０００３】
この上記した従来技術は、ラベルの少なくとも一部分に接着剤を塗布して重ねられた複数枚のラベルが容器に貼着されたもので、重ねた各ラベルの表裏に情報を表示し、これにより充分な情報を表示することを可能としている。
【先行技術文献】
【特許文献】
【０００４】
【特許文献１】特開２００１−２４００６６公報
【発明の概要】
【発明が解決しようとする課題】
【０００５】
上記した従来技術は、確かに充分な情報を表示できるのであるが、容器本体の一部に直接貼着されたラベル以外の、このラベルに重ねられたラベルは、剥離させた後、元の状態に押圧して接着することが容易であり、このように一度剥離してからもとの状態に接着したことが識別困難であるので、既にラベルを剥がしたもの、すなわち使用済みもしくは悪戯された商品としての容器を判別することが難しい、と云う問題があった。
【０００６】
そこで本発明は、上記した従来技術における問題点を解消すべく創案されたもので、重ねられたラベル部分の剥離に不正防止効果を付与することを技術的課題とし、もって商品としてのインモールドラベル付き容器の安心した購入を得ることを目的とする。
【課題を解決するための手段】
【０００７】
上記技術的課題を解決する手段の内、本発明の第一の主たる構成は、
容器本体の本体壁部外表面に、インモールドラベルを接着させた合成樹脂製容器であること、
インモールドラベルを、容器本体の本体壁部に裏面全域を接着させるベース部と、このベース部の端縁に形成した折り返し線で折り返してベース部上に折り重なる折り重ね部とから構成すること、
インモールドラベル部のベース部に折り重ね部を折り重ねた状態で、ベース部上からはみ出る折り重ね部の部分を接着端縁部とし、この接着端縁部を容器本体の本体壁部に接着したこと、
接着端縁部は、引き剥がしにより、本体壁部の外表面および接着端縁部の裏面に接着痕を残存形成すること、
にある。
【０００８】
容器は、本体壁部外表面に、インモールドラベルを接着させるため、このインモールドラベルをインサート材として、射出成形やブロー成形等の成形手段を用いて成形されることになる。
【０００９】
インモールドラベルのベース部は、インモールドラベルの容器本体に対する組付きを確保し、インモールドラベルの折り重ね部は、このベース部に折り返し線部分を介して連結されることにより、その表面と裏面の両面を表示部分として機能させることが可能となっている。
【００１０】
折り重ね部の端縁部に形成される接着端縁部は、本体壁部に直接接着固定されるので、この接着端縁部が本体壁部に接着固定されている状態では、折り重ね部のベース部に対する折り重ね状態は不動に確保されることになる。
【００１１】
折り重ね部がベース部に折り重なった状態では、折り重ね部で覆われているベース部部分が見えない状態となり、これを見るためには、接着端縁部の本体壁部に対する接着固定を、強引に引き剥がすことになる。この接着端縁部の強引な引き剥がしにより、本体壁部の外表面および接着端縁部の裏面には、接着痕が残存形成されることになる。それゆえ、この接着痕の有無により容器が使用済み、または悪戯されたものであるかを判別することができる。
【００１２】
本発明の別の構成は、上記した主たる構成に加えて、ベース部の表面に第三の表示を施し、折り重ね部の表面に第一の表示を施すと共に裏面に第二の表示を施した、ものである。
【００１３】
ベース部の表面に第三の表示を施し、折り重ね部の表面に第一の表示を施すと共に裏面に第二の表示を施したものにあっては、ベース部の表面および折り重ね部の表裏両面を、表示部分として機能させることができる。
【００１４】
また、本発明の別の構成は、上記した主たる構成に加えて、ベース部に折り重なった折り重ね部が、ベース部の第三の表示の略全域を覆い隠すようにした、ものである。
【００１５】
折り重ね部が、ベース部の第三の表示の略全域を覆い隠すようにしたものにあっては、折り重ね部の第二の表示部だけではなく、ベース部の第三の表示部の略全域が見えない状態となって、多量の情報が隠されることになる。
【００１６】
また、本発明の別の構成は、上記した主たる構成に加えて、折り重ね部がベース部の端部に折り重なるようにした、ものである。
【００１７】
折り重ね部が、ベース部の端部に折り重なるようにしたものにあっては、折り重ね部の第二の表示部と、ベース部の第三の表示部の一部だけが見えない状態となって、インモールドラベルの一部に、秘密めいた隠し部分を形成することになる。
【００１８】
また、本発明の別の構成は、上記した主たる構成に加えて、折り重ね部の端縁の一部に、指先で摘み易い摘み片を突出状に形成した、ものである。
【００１９】
折り重ね部の端縁の一部に、摘み片を形成したものにあっては、この摘み片を指先で摘んで引上げることにより、本体壁部に対する折り重ね部の接着端縁部の接着の引き剥がしを容易に達成することができる。
【発明の効果】
【００２０】
本発明は、上記した構成となっているので、以下に示す効果を奏する。
本発明の第一の主たる構成にあっては、折り重ね部の接着端縁部が、本体壁部に直接接着固定されるので、折り重ね部のベース部に対する折り重ね状態は不動に確保されることになり、これにより折り重ね部が容器の取り扱いの邪魔となることがなく、商品としての容器の取り扱いを良好な状態で行うことができる。
【００２１】
折り重ね部がベース部に折り重なった状態で見ることができなくなっている情報は、接着端縁部の本体壁部に対する接着固定を、強引に引き剥がさなければならないので、この接着端縁部の強引な引き剥がしの有無を確認することにより、容器が使用済みであるか、または悪戯されたものであるか否かを判別することができ、高い不正防止効果を得ることができる。
【００２２】
折り重ね部が、ベース部の第三の表示の略全域を覆い隠すようにしたものにあっては、折り重ね部の第二の表示部だけではなく、ベース部の第三の表示部の略全域が見えない状態となって、多量の情報が隠されることになるので、使い方が判らないと使用できない内容物の場合の、詳しい使用方法とか、その容器特有の開閉の仕方等の、ある程度の秘匿を要する情報を記載することができる。
【００２３】
折り重ね部が、ベース部の端部に折り重なるようにしたものにあっては、インモールドラベルの一部に、秘密めいた隠し部分を形成することになるので、この隠し部分を利用して「くじ」等の楽しみ部分を形成することができる。
【００２４】
折り重ね部の端縁の一部に、摘み片を形成したものにあっては、本体壁部に対する折り重ね部の接着端縁部の接着の引き剥がしを容易に達成することができるので、折り重ね部の簡単で安全な取り扱いを得ることができる。
【図面の簡単な説明】
【００２５】
【図１】は、本発明の一実施形態例を示す、全体外観斜視図である。
【図２】は、一実施形態例の、折り重ね部を展開した全体外観斜視図である。
【図３】は、本発明の他の実施形態例を示す、全体外観斜視図である。
【図４】は、他の実施形態例の、折り重ね部を展開した全体外観斜視図である。
【発明を実施するための形態】
【００２６】
以下、本発明の実施形態例を、図１〜図４を参照しながら説明する。
本発明によるインモールドラベル付き容器は、合成樹脂製の容器本体１の本体壁部２の外表面に、インモールドラベル４をインサート材として、射出成形方法やブロー成形方法などを使用してインサート成形手段により、一体的に接着固定して構成されている。
【００２７】
図示実施形態例の場合、容器本体１は、口筒部にヒンジキャップ構造のキャップ３を組付けたボトル状をしたブロー成形容器であって、その前後に偏平な四角筒状をした胴部の幅広な正面壁部分である本体壁部２の中央部分に、インモールドラベル４が接着固定されている。
【００２８】
インモールドラベル４は、裏面全域を本体壁部２表面に接着固定し、表面に第三の表示１３を施した略四角状のベース部５と、このベース部５の端縁部に直線状の折り返し線９を介して連結され、表面に第一の表示１１を施すと共に裏面に第二の表示を施し、さらに端縁部の一部に摘み片７を突片状に形成した折り重ね部６とから構成されており、この折り重ね部６は、ベース部５に折り重なった状態で、ベース部５の周端縁からはみ出た端縁部分を、直接本体壁部２に接着固定する接着端縁部８としている。
【００２９】
接着端縁部８は、本体壁部２に直接接着する部分であるので、摘み片７を指先で摘んで折り重ね部６を引上げて、接着端縁部を本体壁部２から強引に引き剥がすと、本体壁部２の外表面および接着端縁部８の裏面に接着痕１０が残存形成される（図２および図４参照）ことになる。
【００３０】
このように、購入した容器を使用する際には、通常は、容器の開封に先立って折り重ね部６を引き剥がすので、この折り重ね部６の引き剥がしを確認することにより、容器が既に使用されたものであることを知ることができ、これにより不正使用防止効果を得ることが可能となる。
【００３１】
また、接着端縁部８の本体壁部２に対する接着は、接着性のある樹脂同士の接着に限るものではなく、接着性の無い樹脂同士を押圧接合させた「擬似接着状態」をも含み、この場合には接着端縁部８によるベース部５に対する折り重ね部６の折り重なり組付きを確保することが難しくなるので、ベース部５と折り重ね部６の本体部分同士を、剥離層を有する接着フィルムでするのが良い。
【００３２】
接着が擬似接着である場合には、不正使用防止効果の他に、形成される接着痕１０の状態が特有なものとなるので、この接着痕１０を分析することにより容器を製造した会社の同一性を判断することができ、これにより模倣品の判別が可能となって模倣防止の効果も得ることが可能となる。
【００３３】
引き剥がした折り重ね部６が不要となるような場合には、折り返し線９をミシン目で構成して、使用開始後に邪魔となり易い折り重ね部６の除去を容易とすることができる。
【００３４】
図１および図２に示した実施形態例の場合、折り重ね部６は、ベース部５と略同じ大きさの四角状をしているので、多量の情報を隠して表示することができ、このため例えば折り重ね部６の第一の表示１１に、「このラベルを剥がして、内側の取り扱い説明文を良く読んでお使い下さい。」のような指示説明を記載し、隠された折り重ね部６の第二の表示１２およびベース部５の第三の表示１３に、使い方が判らないと使用できない内容物の使い方、使用上の注意事項や禁止事項のような説明を記載するのに有効である。
【００３５】
なお、折り重ね部６の折り返し方向は特に限定されることはなく、図２の実線図示のように、斜め上方に展開するようにしても、または図２に二点鎖線で示すように、横方向に展開するようにしても良い。
【００３６】
図３および図４に示した他の実施形態例の場合、折り重ね部６は、ベース部５の角端部の一部だけを覆い隠す大きさとなっていて、インモールドラベルの一部に、秘密めいた隠し部分を形成することができ、これを利用して、例えば折り重ね部６の第一の表示１１を「クジ」とし、折り重ね部６の第二の表示１２やベース部５の隠された第三の表示１３部分を「当たり」、「はずれ」もしくは「一等」、「二等」等とし、ベース部５の隠されていない第三の表示１３の一部に「ここからはがして下さい」等の説明を記載して、くじ引きの楽しみを得るようにするのが、可能となる。
【００３７】
【産業上の利用可能性】
【００３８】
以上説明したように、本発明におけるインモールドラベル付き容器は、一体的に設けられたインモールドラベルにより不正使用防止効果を得ることができるものであり、商品としての容器を安心して購入することのできる手段として幅広い利用展開が期待できる。
【符号の説明】
【００３９】
１  ；容器本体
２  ；本体壁部
３  ；キャップ
４  ；インモールドラベル
５  ；ベース部
６  ；折り重ね部
７  ；摘み片
８  ；接着端縁部
９  ；折り返し線
１０；接着痕
１１；第一の表示
１２；第二の表示
１３；第三の表示
【図１】
0005458435.tif 000002
【図２】
0005458435.tif 000003
【図３】
0005458435.tif 000004
【図４】
0005458435.tif 000005